【手続補正書】
【提出日】平成20年4月24日(2008.4.24)
【手続補正１】
【補正対象書類名】特許請求の範囲
【補正対象項目名】全文
【補正方法】変更
【補正の内容】
【特許請求の範囲】
【請求項１】
自ドメイン内の複数の端末と複数のサーバと他ドメインのパケット送信元に接続された負荷分散装置であって、
パケットを受信する送受信部と、
受信したパケットの送信元を判定する制御部を有し、
上記判定の結果、送信元が上記自ドメイン内の端末であると判定された場合には、上記複数のサーバのうち該端末に関するパケット処理を行うサーバを決定し、該決定されたサーバのアドレスを上記送受信部を介して該端末に通知し、
上記判定の結果、送信元が上記他ドメインのパケット送信元であると判定された場合には、上記パケットの宛先である自ドメイン内の端末に関するパケット処理を行うサーバに上記パケットを上記送受信部を介して送信することを特徴とする負荷分散装置。
【請求項２】
請求項１記載の負荷分散装置であって、
記憶装置をさらに有し、
該記憶装置は、自ドメイン内の端末と該端末に関するパケット処理を行うサーバとの対応関係を記憶していることを特徴とする負荷分散装置。
【請求項３】
請求項２記載の負荷分散装置であって、
上記判定の結果、送信元が上記他ドメインのパケット送信元であると判定された場合には、上記対応関係を参照して上記パケットの宛先である自ドメイン内の端末に関するパケット処理を行うサーバを検索し、検索された上記サーバに上記パケットを上記送受信部を介して送信することを特徴とする負荷分散装置。
【請求項４】
請求項２記載の負荷分散装置であって、
上記判定の結果、送信元が上記自ドメイン内の端末であると判定された場合には、上記対応関係を参照し、利用端末数が最も少ないサーバを上記送信元の端末に関するパケット処理を行うサーバと決定することを特徴とする負荷分散装置。
【請求項５】
請求項２記載の負荷分散装置であって、
上記パケットの送信元の端末に関するパケット処理を行うサーバを決定したのち、上記記憶装置は上記対応関係に該端末と該サーバの対応関係を上記端末のエントリとして追加する際、該端末が利用する通信方式に応じた重み付けの情報も上記エントリに関連付けて記憶することを特徴とする負荷分散装置。
【請求項６】
請求項１乃至５のいずれかに記載の負荷分散装置であって、
上記サーバはセッション制御サーバであり、上記パケットはセッション制御メッセージであることを特徴とする負荷分散装置。
【請求項７】
請求項６記載の負荷分散装置であって、
上記セッション制御サーバは、ＳＩＰサーバであり、上記セッション制御メッセージはＳＩＰメッセージであることを特徴とする負荷分散装置。
【請求項８】
自ドメイン内の複数の端末と他ドメインのパケット送信元とに接続された負荷分散システムであって、
複数のサーバと負荷分散装置を備え、
該負荷分散装置は、
パケットを受信する送受信部と、
受信したパケットの送信元を判定する制御部を有し、
上記判定の結果、送信元が上記自ドメイン内の端末であると判定された場合には、上記複数のサーバのうち該端末に関するパケット処理を行うサーバを決定し、該決定されたサーバのアドレスを上記送受信部を介して該端末に通知し、
上記判定の結果、送信元が上記他ドメインのパケット送信元であると判定された場合には、上記パケットの宛先である自ドメイン内の端末に関するパケット処理を行うサーバに上記パケットを上記送受信部を介して送信することを特徴とする負荷分散システム。
【請求項９】
請求項８記載の負荷分散システムであって、
上記自ドメイン内の複数の端末のアドレスと該端末に関するパケット処理を行うサーバの対応関係を管理するロケーションデータベースを備えたことを特徴とする負荷分散システム。
【請求項１０】
請求項９記載の負荷分散システムであって、
上記負荷分散装置は、
記憶装置をさらに有し、
該記憶装置は、自ドメイン内の端末と該端末に関するパケット処理を行うサーバとの対応関係を記憶していることを特徴とする負荷分散システム。
【請求項１１】
請求項１０記載の負荷分散システムであって、
上記負荷分散装置は、
上記判定の結果、送信元が上記他ドメインのパケット送信元であると判定された場合には、上記対応関係を参照して上記パケットの宛先である自ドメイン内の端末に関するパケット処理を行うサーバを検索し、検索された上記サーバに上記パケットを上記送受信部を介して送信することを特徴とする負荷分散システム。
【請求項１２】
請求項１０記載の負荷分散システムであって、
上記負荷分散装置は、
上記判定の結果、送信元が上記自ドメイン内の端末であると判定された場合には、上記対応関係を参照し、利用端末数が最も少ないサーバを上記送信元の端末に関するパケット処理を行うサーバと決定することを特徴とする負荷分散システム。
【請求項１３】
請求項１０記載の負荷分散システムであって、
上記負荷分散装置は、
上記パケットの送信元の端末に関するパケット処理を行うサーバを決定したのち、上記記憶装置は上記対応関係に該端末と該サーバの対応関係を上記端末に関連付けて追加し、該端末が利用する通信方式に応じた重み付けの情報も上記端末に関連付けて記憶することを特徴とする負荷分散システム。
【請求項１４】
請求項１０記載の負荷分散システムであって、
上記端末から該端末のパケット処理を行うサーバがログアウト通知を受信した際、該サーバは上記ロケーションデータベースに対して該端末のエントリを削除するよう通知し、さらに上記負荷分散装置に対して上記対応関係の該端末に関する情報を削除するよう通知することを特徴とする負荷分散システム。
【請求項１５】
請求項１０記載の負荷分散システムであって、
上記負荷分散装置は、
上記パケットの送信元の端末に関するパケット処理を行うサーバを決定したのち、上記記憶装置は上記対応関係に該端末と該サーバの対応関係を上記端末と関連付けて追加し、
さらにロケーションデータベースにも該端末と該サーバの対応関係を上記端末のエントリとして追加することを特徴とする負荷分散システム。
【請求項１６】
請求項９記載の負荷分散システムであって、
上記サーバは、
パケットを受信した際、上記ロケーションデータベースを参照して、該パケットの送信元が自サーバがパケット処理を担当する送信元か否かを判定し、
上記判定の結果、自サーバがパケット処理を担当する送信元でないと判定された場合は、上記パケットの中継処理を行わないことを特徴とする負荷分散システム。
【請求項１７】
請求項９記載の負荷分散システムであって、
上記サーバは、
自サーバでパケット処理を担当する端末のアドレスを記憶したローカルロケーションデータベースをさらに有し、
パケットを受信した際、該パケットの宛先が自ドメイン内の端末か否かを判定し、
該判定の結果、宛先が自ドメイン内の端末であると判定された場合は、さらに上記ローカルロケーションデータベースを検索して、該パケットの宛先が自サーバがパケット処理を担当する端末か否かを判定し、
該判定の結果、宛先が自サーバがパケット処理を担当する端末であった場合は、上記パケットを該宛先へ送信し、
該判定の結果、宛先が自サーバがパケット処理を担当する端末でなかった場合は、上記ロケーションデータベースを参照して該宛先の端末に関するパケット処理を行うサーバのアドレスを検索し、該検索されたサーバに対して上記パケットを転送することを特徴とする負荷分散システム。
【請求項１８】
請求項８乃至１７記載の負荷分散システムであって、
上記サーバはセッション制御サーバであり、上記パケットはセッション制御メッセージであることを特徴とする負荷分散システム。
【請求項１９】
請求項１８記載の負荷分散システムであって、
上記セッション制御サーバは、ＳＩＰサーバであり、上記セッション制御メッセージはＳＩＰメッセージであることを特徴とする負荷分散システム。